(57)【要約】      （修正有）【課題】サイズを変更する事により二本脚の梯子にも容易に取付け可能である。また上下スライド操作はｍｍ単位での調整が可能で低い凸凹地面であっても４本の脚がそれぞれバランス良く安定着地することができるバランスキャップの提供。【解決手段】４本脚のアルミニュウム製脚立支柱部を原型とし、その支柱部の外径四角面を包み込む様に類似型四角錐のスライド式に作成した。脚立の横ブレ防止の為のバランスキャップにおいて、脚立の支柱右脚先端部から長さ５０ｍｍを切断し、切断先から１１０ｍｍ側面の中央位置に直径１０ｍｍの基軸孔を作成する、この基軸孔を支点としてバランスキャップと脚立の支柱部が互いにスライド運動する。バランスキャップは、主にスライドケースと鋸固定歯止め具とのぶボルトと供廻り防止ナット盤から構成されている。【選択図】図１３
2017160766.tif 000002
【特許請求の範囲】
【請求項１】
本発明に係るバランスキャップは、２本脚又は４本脚から構成される  脚立の支柱に取付けられる器具であって、脚立の正面側から見て右側に位置される  脚立支柱下端部に設けられた  基軸孔を介して上下にスライド運動するものである。断面チャンネル状の長形状のスライドケースの中央部に長孔を設け、その長孔の側面に沿って数多の鋸歯を作成した。前記スライドケースの長孔に設けられた鋸歯と鋸固定歯止め具に備えている鋸歯止めは、互いに噛合するものである。バランスキャップは、主に、スライドケースと  鋸固定歯止め具と  のぶボルトと  供廻り防止ナット盤から成り、脚立支柱との組み合わせに依って、その働きが成立するものである。バランスキャップの取扱い操作に当たっては、スライドケースと鋸固定歯止め具とを脚立の右支柱下端方にセットする。次に、脚立に設けた基軸孔を挿通してなる  のぶボルトを供廻り防止ナット盤に仮止めし、仮止め状態でスライドケースを上下にスライド調整操作する、脚立のそれぞれの脚を安定着地させた時点で、スライドケースの長孔に設けた鋸歯と鋸固定歯止め具に備えた鋸歯止めとを噛合させ、その噛合部位を固定具で覆い、締付け具の  のぶボルトによって締め付け固定してなる  バランスキャップ。
【請求項２】
前記  断面チャンネルのスライドケースに翼爪を設けて、脚立支柱の２角面を包み込む  請求項１記載のバランスキャップ。
【発明の詳細な説明】
【技術分野】
【０００１】  この発明は、脚立の支柱のいずれか一方の下端に取付けられて、脚立の横ブレを防止する為の  バランスキャップに関するものである。
【背景技術】
【０００２】  従来、脚立は２本又は４本の支柱を有して水平地面上で使用するように設計されているが、凸凹地面上で脚立を安定状態にして使用する為の  様々な脚立に対しての調整器具がある。これらは、２本脚又は４本脚をそれぞれ上下させることによる脚立の脚長調整装置（例えば、特許文献１参照）。また、脚立の脚が上下にスライド操作出来る安定調節装置付作業台がある（例えば、特許文献２参照）。また、脚立の４本脚が調整出来る  ４本脚高さ調整脚（例えば、特許文献３参照）。又は、伸縮構造付き脚立（例えば、特許文献４参照）等がある。
【先行技術文献】
【特許文献】
【０００３】
【特許文献１】  特開２００５−６１０３３号公報、
【特許文献２】  実用新案登録第３０７７３８２号公報、
【特許文献３】  特開２０１３−８７４９０号公報、
【特許文献４】  特開平１０−２３１６７４号公報、
【発明の概要】
【発明が解決しようとする課題】
【０００４】特許文献１に記載された従来の脚立の脚長調整装置は、取付け部品が多く又取り扱いが複雑な装着方法であり一般普及されている既製脚立には取付け出来ない形態に成っている、特に高い脚立には装着が煩雑で特定脚立のみに取付け可能な器具となっている。【０００５】特許文献２に記載された  安定調節装置付作業台は、安定調節装置と固定レバーとの接触面に、重い負荷が掛かった場合或いは長時間使用している間に摩耗が生じ滑りやすくなる危険性があった。又一般普及形脚立に対しての取付けは形態上に問題点があった。【０００６】特許文献３に記載された４本脚高さ調整脚立は、凸凹地面上で脚立４本の脚をそれぞれ接地させる為に、浮いている脚の空間値に高さ調整穴をそれぞれ合せ、４本の固定金具を差し込む作業は手間暇が掛かりなかなか難しい。何故か、高さ調整穴の間隔が広く無理に調整穴に凸凹地面を合わせると言うことは、偶然は別にして  方法が逆手順な為に脚立の脚が宙に浮く場合がある。又高さ調整穴の縦並びの間隔が少々広く、低い凸凹地面においては高低差の最終微調整が難しい。凸凹地面上において３本脚は容易に着地するが、一本の脚のみが常に浮いている、調整穴は４本の脚全て等間隔に作成されている為、一箇所の脚の接地空間値と高さ調整穴の間隔値が合わないと全体のバランス調整が困難である。【０００７】  特許文献３に記載された  ４本脚高さ調整脚立は、凸凹の地面上で脚立４本の脚をそれぞれ接地させる為に、浮いている脚の空間値に高さ調整穴をそれぞれ併せ、４本の固定金具を差し込む作業は手間暇が掛かり中々難しい。何故か、高さ調整穴の間隔が広く、無理に調節穴に凸凹地面を合わせると少々脚が宙に浮く場合がある。又高さ調整穴の縦並びの間隔が少々広く、低い凸凹地面においては高低差の最終微調整が難しい。高さ調整穴は、４本足全て等間隔に作成されている為、一箇所の脚の接地空間値と高さ調整穴の間隔値が合わないと、４本の脚全体が同時にピッタと接着せずガタつきが出る恐れがある。【０００８】この高さ調整脚立は、高さ調整穴の間隔よりも  低い凸凹地面上では、調整しようと  しても必ず１本の脚が宙に浮きます。脚立の脚の接地面はｍｍ単位で微調整し固定しないと左右前後に横ブレが生じ、特に高い脚立に上がっての高所作業は危険が伴う恐れがある。  又４本脚高さ調整脚立は、支柱部が円筒四角錐型で設計されている様であり、支柱部がＣ型鋼で設計されている一般普及型のアルミ製脚立には、形状が違う為取付け不可能である。【０００９】特許文献４に記載された  伸縮構造付き脚立は、係合溝の間隔がやや広く、ｍｍ単位の微調整に対しての対応が難しい、特に低い凸凹地面では脚が浮き接着性に欠け、脚立が少々横ブレして高所作業には危険が伴う恐れがある。又圧縮スプリングが装着されている為、結束ボルトを少々緩めても係合爪が簡単に外れないので伸縮操作に手間暇がかかります。又支持脚の先端部下を係合爪が通るように設計されている為、伸縮脚部を最大に伸ばした際に  支持脚との接触面が非常に狭くなり、脚立に重い負荷が掛かった際には，弛みが生じ  脚立が不安定な状態と成り易い。又係合爪が支持脚の裏面から係合溝に噛み合うように設計されており、互いの合体調整に非常に手間���が掛かる。又脚立を一定の場所で長時間使用する場合は良いが、常時移動しながら使用する場合には不便である。【００１０】脚立を野外で使用する場合、接地面は必ずしも水平状態でない場合が多い、凸凹地面上においては、脚立は前後左右に横ブレして不安定状態となり  高所作業に取って危険が伴う、脚立を安定させる為には  補助者の手助けか、或は、宙に浮いた脚底に板偏等を噛ませるのが必須です。いずれにしても非常に手間暇が掛かるものである。【００１１】本発明は、このような従来の構成を有していた問題点を解決しようとするものであり、一般普及型の脚立や使用済の脚立にも容易に取付け可能である。又  サイズを変更する事により梯子にも容易に取り付けが出来るものであり、然も  低い凸凹地面上であっても  ｍｍ単位での微調整が可能で在る。依って、脚立の安定性  安全性  機能性  利便性等は確保されます。又脚立の前後左右の横ブレや脚のガタつきは、数秒の調整作業で止まり脚立は安定します。３〜４メートルの高い脚立でも、バランスキャップを装着し調整操作する事により安定  安全は確保され、安心して高所作業が可能で在る事を目的とするものである。
【課題を解決するための手段】
【００１２】本発明に係るバランスキャップは、２本脚又は４本脚から構成される脚立の支柱に取付けられる  器具であって、脚立の正面側から右側に位置される、脚立支柱下端部に設けられた基軸孔を介して上下にスライド運動するものである。断面チャンネル状の長形状のスライドケースの中央部に長孔を設け、その長孔の側面に沿って数多の鋸歯を作成した。前記スライドケースの長孔に設けられた鋸歯と鋸固定歯止め具に備えている鋸歯止めは、互いに噛合するものである。バランスキャップは、主にスライドケースと  鋸固定歯止め具  とのぶボルトと  供廻り防止ナット盤から成り、脚立支柱との組み合わせに依って、その働きが成立するものである。バランスキャップの取扱い操作に当たっては、スライドケースと鋸固定歯止め具とを脚立の右支柱下端方にセットする。次に、脚立支柱部に設けた基軸孔を挿通してなる  のぶボルトを  供廻り防止ナット盤に仮止めし、仮止め状態でスライドケースを上下スライド調整操作する、脚立のそれぞれの脚を安定着地させた時点で、スライドケースの長孔に設けた鋸歯と鋸固定歯止め具に備えた鋸歯止めとを噛合させ、その噛合部位を固定具で覆い、締付け具の  のぶボルトによって締め固定するものである。
【発明の効果】
【００１３】上述したように、本発明の脚立の横ブレ防止の為のバランスキャップは、サイズを変更する事により二本脚の梯子にも容易に取付け可能である。また上下スライド操作は  ｍｍ単位での調整が可能で  低い凸凹地面であっても  ４本の脚がそれぞれバランス良く安定着地することができる。バランスキャップの四角錐における内面は  脚立支柱部の外径四角面を包み込む様に作成されており、脚立支柱部に装着すると互いの接触面に対して密着性が確保される為、外部からの衝撃や横荷重にも十分耐えることができる。脚立片面  踏みざんに３００ｋｇの負荷テストを行い、その結果バランスキャップの部品や噛合部に対して損傷や変形等の異常ない事が明らかである。バランスキャップが脚立支柱部の四角面を包み込む事による互いの密着性、スライドケースに設けた鋸歯と鋸固定歯止め具の鋸歯止めとが、互いに噛み合う結合性、またバランスキャップと脚立の支柱との接触面を固定具で抑えて  のぶボルトで締め付ける密着固定性等、密着  固定は３箇所で確保されて安定した状態で設置する事が出来る。バランスキャップを脚立支柱に装着し、調整操作する事により  安全で安心した作業効果を発揮するものである。
【図面の簡単な説明】
【００１４】
【図１】  本発明の実施形態を示すバランスキャップの分解斜視図である
【図２】  スライドケースに鋸固定歯止め具を装着した本発明の正面図
【図３】  同じく、本発明の背面図である
【図４】  同じく、本発明の平面図である
【図５】  鋸固定歯止め具、本発明の平面図
【図６】  同じく、本発明の背面図である
【図７】  バランスキャップの組立状態を示す、本発明の斜面図
【図８】  同じく、正面図である
【図９】  同じく、背面図である
【図１０】  同じく、断面図である
【図１１】  脚立支柱先端部に装着した、本発明のバランスキャップ
【図１２】  同じく、脚立支柱先端部に装着した、スライドケースの斜面図である
【図１３】  同じく、脚立支柱先端部に装着した、バランスキャップの斜面図である
【発明を実施するための形態】
【００１５】以下、本発明に係るバランスキャップの実施の形態を図１〜図１３に基づいて説明する。
【００１６】本発明に係るバランスキャップは、図１１で示すように、主としてアルミニュウム製の２本脚又は４本脚から構成される脚立支柱１０のいずれか一箇所に  取付けられるもので、脚立の  横ブレを防止する為の器具である。
【００１７】このバランスキャップは、図１に示すように、スライドケース１と  鋸固定歯止め具１２と  のぶボルト５と  供廻り防止ナット盤６から  構成されているものである。
【００１８】脚立１５に対して、バランスキャップの取付けに当たっては、操作や取り扱いが容易にする為に、脚立支柱１０のいずれか一方、望ましくは  正面側から右側に位置される  脚立支柱１０の下端方に穿設される、基軸孔１１を介して取付けられるものである。
【００１９】スライドケース１は、図１に示すように、断面チャンネルの長形状を有し  その一面の中央の長さ方向に  数多の鋸歯８を有する長孔７を設けて  脚立支柱１０の下端方にスライド可能に取付けられるものである。
【００２０】鋸固定歯止め具１２は、固定具３に鋸歯止め２を接着固定し一体化としたものであり、スライドケースの背面側に取付けられ  スライドケース１の長孔７に儲けられている  鋸歯８と  噛合する為の  鋸歯止め２を備えている、スライドケース１の両側を抱え込み密着する様に作成してあり、この形態の働きは、噛み合い操作時の正確性を補助する役目もする。又噛合部の設定位置を調整する為の  取っ手１７を備えているものである。
【００２１】のぶボルト５は、脚立支柱１０の下端方に取り付けたスライドケース１に鋸固定歯止め具１２をセットした状態で、基軸孔１１を挿通して  脚立支柱１０の裏面に位置される  供廻り防止ナット盤６に仮止めし、脚立１５の  それぞれの脚を着地させて  横ブレやガタつきが止まり安定した時点で  締め付け固定するものである。
【００２２】供廻り防止ナット盤６は、脚立支柱１０の裏面に接着固定されるもので、図１０に示すように、のぶボルト５の締め付け時には、空回りしないように、供廻り防止ナット盤６にナットは溶接固定されている。又  もう一つの操作上の役割は、のぶボルト５の締付け固定を緩めると  鋸歯８同士の噛み合いが外れ  鋸固定歯止め具１２も浮き上がり、スライドケース１との接触面に空間が出来るようになる。それによって互いに接触障害が無くなり  スライドケース１のスライド運動がスムーズに出来る為の手助けもするものである。
【００２３】このように構成されるバランスキャップは、図１又は図１３に示すように、滑り止めソックス９を装着したスライドケース１を脚立支柱１０下端方に取付け、鋸固定歯止め具１２をスライドケース１にセットする。のぶボルト５にワッシャ４を嵌めて、脚立支柱１０の基軸孔１１を挿通して  供廻り防止ナット盤６で仮止めし、この仮止めした状態で、スライドケース１を上下動の調整操作する事により  脚立１５のそれぞれの脚を安定着地させる。次に、スライドケース１の長孔７に設けた鋸歯８に鋸固定歯止め具１２に備えてある  鋸歯止め２を噛合させ。脚立１５の安定状態を確認し  のぶボルト５で締付け固定するものである。
【００２４】  図２、ないし４は、スライドケース１に鋸固定歯止め具１２  を装着した形態を示すもので、スライドケース１の長孔７に設けた鋸歯８と鋸固定歯止め具１２に備えてある  鋸歯止め２と噛合し、鋸固定歯止め具１２は  互いの噛合部位も覆うものである。  鋸固定歯止め具１２の  もう一つの役割は、スライド調整の際に  鋸歯８と鋸歯止め２との噛合面の位置が狂わない様に、スライドケース１のサイドを抱えて  密着する様に作成して在り、それらの操作は  固定具の取っ手１７によって行うものである。
【００２５】鋸固定歯止め具１２は、図５，６に示すように、固定具３に鋸歯止め２を熔接により接着固定し  更に２本のビス１６で締め付け固定したものである。又  鋸歯止め２の歯が固定具３の縁から  やや上方に  はみ出す事によって、長孔７に設けた鋸歯８と鋸歯止め２との噛み合い具合が  瞬時に目視  確認する為のものである。
【００２６】  図１０は、バランスキャップの断面図である、スライドケース１の長孔７に設けた鋸歯８と鋸固定歯止め具１２に備えた鋸歯止め２との噛合部位を固定具３で覆い、その上をワッシャ４により押さえてある。又供廻り防止ナット盤６は、脚立支柱１０の基軸孔１１の裏側に合わせて接着固定してあり、その役目は、のぶボルト５の固定を解除し締め付けを緩めると、鋸歯８と鋸歯止め２との噛合部位も同時に緩み  噛合が解除され  接触面が浮き互いの間に空間が出来て、スライドケース１のスライド操作がスムーズに出来るものである。又スライドケース１に設けた翼爪１３は、脚立支柱１０の二角面を抱え込む役割をし、同時に脚立支柱１０の四角面をスライドケース１が包み込む形態と成り、脚立支柱１０とスライドケース１との接触面のガタつきを最小限に抑えることが出来る。  依って、脚立作業時には、横ブレが無くなり  安定や安全が確保されるものである。
【００２７】図１１は、アルミニュウム製  脚立支柱１０  に、装着したバランスキャップである。
【００２８】図１２は、切断加工された、脚立支柱１０  にスライドケース１を装着したものである。互いの接触ギャップは些少にし、脚立の横ブレやガタつきを最小限に抑えるため密着性と快適性を重視した、脚立支柱１０の下端中央部に  のぶボルト５が挿通する為の孔を設けこの孔を基軸孔１１とする。脚立支柱１０に設けた、この基軸孔１１を  中心にスライドケース１  は、上下スライド運動するものである。
【００２９】図１３は、脚立支柱１０  に装着したバランスキャップの斜面図である。
【００３０】スライドケース１  は、脚立支柱１０と同質のアルミニュウム材を用いるのが好ましい、又加工した素材の強度と合理性を確保する為、脚立支柱１０  の四角面を包み込む  類似型四角錐の形状に設計したものである。脚立支柱１０  にスライドケース１を取付け、スライド運動時の  互いの接触ギャップは些少にし  スライド操作の密着性と快適性を重要視して作成したものである。
【００３１】脚立支柱１０に対しての切断加工に当たっては、正面側から右側に位置する  脚立支柱１０の下端先を、スライドケース１に設けてある長孔１１の長さ値に合わせて切断する。次に脚立支柱１０の下端中央位置に  のぶボルト５が挿通る為の基軸孔を設ける、互いのスライド運動は、この基軸孔１１を支点として行なわれるものである。又  脚立支柱１０下端部に対しての切断加工  及び  基軸孔の作成  及び  取付けまでの作業時間は数分で完了するものである。
【００３２】バランスキャップは、アルミニュウム製  等の既製  脚立１５に対して取付け可能であり、その役割は、脚立１５の横ブレやガタつきを防止する為の器具である。又  素材や形状の変更によっては  サイズを変更する事もある。
【００３３】  一般普及型で４本脚のアルミニュウム製  脚立の安全上の取り扱いについては、脚立全体に掛かる  最大使用負荷質量は１００ｋｇ以下と規定されている。バランスキャップに対しての負荷測定に当たっては、２０１７年１０月２０日、バランスキャップを脚立支柱１０に装着し、脚立１５の片面  踏みざん１４に３００ｋｇの負荷をかけ、そのテストの結果  部品や噛合部等に変形及び損傷は  全く生じなかった事を証明するものである。
【００３４】  脚立支柱１０に装着した、本発明のバランスキャップの  操作方法についての説明である。脚立１５の右脚又は対角線上にある脚の接地面が高い場合、左脚又は対角線上にある脚が浮いて  脚立１５が不安定状態となる。この場合は、左脚の浮いた空間値だけスライドケース１を上方向にスライド操作する事により  ４本の脚が安定着地する。脚立１５の横ブレ等が止まった時点で、スライドケース１の長孔７に設けた鋸歯８  と鋸固定歯止め具１２に備えてある鋸歯止め２とを噛合させ、基軸孔１１を介して  供廻り防止ナット盤６  に仮止めしてある  のぶボルト５  を締め付け固定し調整作業は完了である。又、脚立１５の左脚又は対角線上にある脚の接地面が高い場合、右脚又は対角線上にある脚が浮いて  脚立１５が不安定状態となる。この場合は、右脚が浮いた空間値だけスライドケース１を下方向にスライド操作する事により  ４本の脚が安定着地する。脚立１５の横ブレ等が止まった時点で、スライドケース１の長孔７に設けた鋸歯８  と鋸固定歯止め具１２に備えてある鋸歯止め２を噛合させ、基軸孔１１を介して  供廻り防止ナット盤６に仮止めしてある  のぶボルト５  を締め付け固定し調整作業は完了である。    例えば、環境の悪い凸凹地面上での高所作業の場合。バランスキャップを脚立１５に装着し  上下にスライド  調整  操作する事により、脚立１５の横ブレやガタつきが止まり、一瞬にして脚立が安定状態と成るものである。
【符号の説明】
【００３５】１    スライドケース
２    鋸歯止め
３    固定具
４    ワッシャ
５    のぶボルト
６    供廻り防止ナット盤
７    スライドケースの中央部に設けた  長孔
８    鋸歯
９    滑り止めソックス
１０  脚立支柱
１１  脚立支柱の下端中央部に設けた  基軸孔
１２  鋸固定歯止め具
１３  スライドケースに設けた  翼爪
１４  脚立の  踏みざん
１５  アルミニュウム製の  脚立
１６  固定具に鋸歯止めを固定する為の締め付け  ビス
１７  噛合位置を調整する  取っ手
１８  バランスキャップ
【図１】
2017160766.tif 000003
【図２】
2017160766.tif 000004
【図３】
2017160766.tif 000005
【図４】
2017160766.tif 000006
【図５】
2017160766.tif 000007
【図６】
2017160766.tif 000008
【図７】
2017160766.tif 000009
【図８】
2017160766.tif 000010
【図９】
2017160766.tif 000011
【図１０】
2017160766.tif 000012
【図１１】
2017160766.tif 000013
【図１２】
2017160766.tif 000014
【図１３】
2017160766.tif 000015
【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
本発明に係るバランスキャップは、２本脚又は４本脚から構成される脚立の支柱に取付けられる器具であって、脚立支柱下端部に設けられた基軸孔を介して上下運動するものであり、前記バランスキャップは、主に、スライドケ−スと鋸固定歯止め具とのぶボルトと供廻り防止ナット盤から成り、前記スライドケ−スは断面チャンネル状の長形状で中央部に長孔を設けており、その長孔の側面に沿って数多の鋸歯を作成し、前記スライドケ−スの長孔に設けられた鋸歯と鋸固定歯止め具に備えている鋸歯止めは、互いに噛合する、バランスキャップにおいて、脚立に設けた基軸孔を挿通してなるのぶボルトを供廻り防止ナット盤に仮止めし、仮止め状態でスライドケ−スを上下にスライド調整操作し、脚立のそれぞれの脚を安定着地させた時点で、スライドケ−スの長孔に設けた鋸歯と鋸固定歯止め具に備えた鋸歯止めとを噛合させ、その噛合部位を固定具で覆い、締付け具ののぶボルトによって締め付け固定してなるバランスキャップ。
【請求項２】
前記断面チャンネル状のスライドケ−スに翼爪を設けて、脚立支柱の２角面を包み込む請求項１記載のバランスキャップ。
【請求項３】
本発明に係るバランスキャップは、２本脚又は４本脚から構成される脚立の支柱に取付けられる器具であって、脚立支柱下端部に設けられた基軸孔を介して上下運動するものであり、前記バランスキャップは、主に、スライドケ−スと鋸固定歯止め具とのぶボルトと供廻り防止ナット盤から成り、前記スライドケ−スは断面チャンネル状の長形状で中央部に長孔を設けており、その長孔の側面に沿って数多の鋸歯を作成し、前記スライドケ−スの長孔に設けられた鋸歯と鋸固定歯止め具に備えている鋸歯止めは、互いに噛合する、バランスキャップにおいて、脚立に設けた基軸孔を挿通してなるのぶボルトを供廻り防止ナット盤に仮止めし、仮止め状態でスライドケ−スを上下にスライド調整操作し、脚立のそれぞれの脚を安定着地させた時点で、スライドケ−スの長孔に設けた鋸歯と鋸固定歯止め具に備えた鋸歯止めとを噛合させ、その噛合部位を固定具で覆い、締付け具ののぶボルトによって締め付け固定してなるバランスキャップの使用方法。